(57)【特許請求の範囲】
【請求項１】
庫内冷気循環ファン用直流モータ、圧縮機冷却ファン用直流モータ、自動製氷機用直流モータなど、複数個の直流モータを負荷として有している冷蔵庫の運転制御方法において、
直流モータのロック停止によるリカバリ動作の際に、他に動作中の直流モータがあれば、その直流モータの動作を停止してからロック停止している直流モータのリカバリ動作を行う制御を実行することを特徴とする冷蔵庫の運転制御方法。
【請求項２】
前記リカバリ動作の際に、複数の直流モータが同時に動作開始を行う要求がなされたときは、直流モータの起動に順位付けを行い、直流モータの動作開始に時間差を設け、同時に動作開始要求を受けた複数個の直流モータ１個ずつ順次時間差を付けて起動させる制御を実行することを特徴とする請求項１に記載の冷蔵庫の運転制御方法。
【請求項３】
庫内冷気循環ファン用直流モータ、圧縮機冷却ファン用直流モータ、自動製氷機用直流モータなど、複数個の直流モータを負荷として有している冷蔵庫の運転制御装置において、
直流モータのロック停止によるリカバリ動作の際に、他に動作中の直流モータがあれば、その直流モータの動作を停止してからロック停止している直流モータのリカバリ動作を行う制御を実行する制御手段を備えたことを特徴とする冷蔵庫の運転制御装置。
【請求項４】
前記制御手段は、前記リカバリ動作の際に、複数の直流モータが同時に動作開始を行う要求がなされたときは、直流モータの起動に順位付けを行い、直流モータの動作開始に時間差を設け、同時に動作開始要求を受けた複数個の直流モータ１個ずつ順次時間差を付けて起動させる制御を実行するたことを特徴とする請求項３に記載の冷蔵庫の運転制御装置。
【発明の詳細な説明】
【０００１】
【発明の属する技術分野】
この発明は、冷蔵庫の運転制御方法および運転制御装置に関し、特に庫内冷気循環用ファン駆動モータ、圧縮機冷却用ファン駆動モータ、自動製氷機用モータなど、複数個の直流モータを負荷として有している冷蔵庫の運転制御方法および運転制御装置に関するものである。
【０００２】
【従来の技術】
冷蔵庫は、庫内冷気循環ファン用直流モータ、圧縮機冷却ファン用直流モータ、自動製氷機用直流モータなど、複数個の直流モータを負荷として有しており、それらの直流モータは運転制御装置が各直流モータ毎に個別に出力する動作開始要求により個別に無制限に起動される。このため、従来の冷蔵庫では、複数の直流モータに対して同時に動作開始要求がなされると、その要求通り、複数の直流モータが同時に動作を開始する。
【０００３】
また、従来の冷蔵庫では、庫内冷気循環用ファンモータ等がロックで停止しているときに、運転制御装置からリカバリの要求を受けて動作を開始する際、他の直流モータの動作とは無関係にロック停止状態の直流モータのリカバリ動作が開始される。
【０００４】
また、冷蔵庫の運転制御装置の他の従来例として、直流電源による圧縮機リレーの起動が安定して行われるよう、特開平７−２７４６２号公報に示されているように、冷蔵庫の冷凍サイクルの圧縮機が始動要求を受けると、冷蔵庫の他の電気負荷機器のリレーを遮断して圧縮機リレーの起動を優先して行い、圧縮機リレーの起動完了後に、他の電気負荷機器のリレーを優先順序に従って起動するものが知られている。
【０００５】
【発明が解決しようとする課題】
直流モータには動作開始時には起動電流という形で定常時より電流が多く流れ、この電流は時間の経過に伴い定常の電流値に近づいていく。
【０００６】
このことに対して、従来の冷蔵庫では、複数の直流モータに対して同時に動作開始要求がなされると、その要求通り、複数の直流モータが同時に動作開始するから、動作開始時の複数の直流モータの起動電流の総和を最大定格電流値に考慮した電源部が必要となり、その電流値は定常の電流値よりも大きいものとなる。このため、大電流の電源部が必要になる。
【０００７】
また、従来の冷蔵庫では、庫内冷気循環用ファンモータ等がロックで停止しているときに、運転制御装置からリカバリの要求を受けて動作を開始する際、他の直流モータの動作とは無関係にロック停止状態の直流モータのリカバリ動作が開始されるから、ロック時の電流値の総和を最大定格電流値に考慮した電源部が必要となり、このことによっても大電流の電源部が必要になる。
【０００８】
特開平７−２７４６２号公報に示されている冷蔵庫の運転制御装置は、圧縮機リレーの起動を最優先し、その後、順次電気負荷機器のリレーを起動していくことによりリレーの動作を安定化するもので、庫内冷気循環ファン用直流モータ、圧縮機冷却ファン用直流モータ、自動製氷機用直流モータ等の直流モータの起動時やロック時の電流値の総和を抑え、信頼性の高い直流電源部の設計に寄与することを目的としているわけではない。
【０００９】
この発明は、上述の如き問題点を解消するためになされたもので、直流モータの起動時、ロック時の電流値の総和を抑え、最大定格電流値を抑えた小型の電源部の設計を可能にする冷蔵庫の運転制御方法および運転制御装置を得ることを目的としている。
【００１０】
【課題を解決するための手段】
上述の目的を達成するために、この発明による冷蔵庫の運転制御方法は、庫内冷気循環ファン用直流モータ、圧縮機冷却ファン用直流モータ、自動製氷機用直流モータなど、複数個の直流モータを負荷として有している冷蔵庫の運転制御装置において、直流モータのロック停止によるリカバリ動作の際に、他に動作中の直流モータがあれば、その直流モータの動作を停止してからロック停止している直流モータのリカバリ動作を行う制御を実行するものである。
【００１１】
つぎの発明による冷蔵庫の運転制御方法は、前記リカバリ動作の際に、複数の直流モータが同時に動作開始を行う要求がなされたときは、直流モータの起動に順位付けを行い、直流モータの動作開始に時間差を設け、同時に動作開始要求を受けた複数個の直流モータ１個ずつ順次時間差を付けて起動させる制御を実行するものである。
【００１２】
つぎの発明による冷蔵庫の運転制御装置は、庫内冷気循環ファン用直流モータ、圧縮機冷却ファン用直流モータ、自動製氷機用直流モータなど、複数個の直流モータを負荷として有している冷蔵庫の運転制御装置において、直流モータのロック停止によるリカバリ動作の際に、他に動作中の直流モータがあれば、その直流モータの動作を停止してからロック停止している直流モータのリカバリ動作を行う制御を実行する制御手段を備えたものである。
【００１３】
つぎの発明による冷蔵庫の運転制御装置は、前記リカバリ動作の際に、複数の直流モータが同時に動作開始を行う要求がなされたときは、直流モータの起動に順位付けを行い、直流モータの動作開始に時間差を設け、同時に動作開始要求を受けた複数個の直流モータ１個ずつ順次時間差を付けて起動させる制御を実行するものである。
【００１４】
【発明の実施の形態】
以下に添付の図を参照して、この発明に係る冷蔵庫の運転制御方法および装置の実施の形態を詳細に説明する。
【００１５】
図１は、この発明による冷蔵庫の運転制御装置を示している。図１において、１は庫内冷気循環ファン用直流モータを、２は圧縮機冷却ファン用直流モータを、３は自動製氷機用直流モータをそれぞれ示している。なお、庫内冷気循環ファン用直流モータ１と圧縮機冷却ファン用直流モータ２は直流ブラシレスモータであり、自動製氷機用直流モータ３はブラシモータである。
【００１６】
これらの各直流モータ１、２、３は、直流の電源部４と接続され、駆動部５、６、７によりそれぞれ個別に駆動される。電源部４は、一般商用交流電源より整流、平滑で得られた直流電源をコンバータにより各直流モータ１、２、３の負荷に必要な直流電圧値に変換する構成のものである。
【００１７】
庫内冷気循環ファン用直流モータ１と圧縮機冷却ファン用直流モータ２の駆動部５、６にはこれらファンモータのロックを検知するロック検出部８が接続されている。ロック検出部８は、直流モータがロックすると定常時より多い電流が流れることを利用し、ある電流値を超える電流が流れると、ロックと判断するような電流検知方式のものである。
【００１８】
駆動部５〜７は運転制御装置９により制御される。運転制御装置９は、ＣＰＵ１０、ＲＯＭ１１、ＲＡＭ１２等を含むマイクロコンピュータ式のものであり、複数の直流モータ１、２、３が同時に動作開始を行う要求がなされたとき、それら直流モータの起動に、例えば、図２に示されているように、順位付けを行い、直流モータの動作開始に時間差を設け、同時に動作開始要求を受けた複数個の直流モータ１個ずつ順次時間差を付けて起動させる制御を行う。
【００１９】
また、運転制御装置９は、直流モータのロック停止によるリカバリ動作の際に、他に動作中の直流モータがあれば、その直流モータの動作を停止してからロック停止している直流モータのリカバリ動作を行う制御を行う。リカバリ動作とは、直流モータがロックすると、ロック検出部８がそのことを検知し、運転制御装置９からの信号により、駆動部５、６、７によって直流モータを停止させた後、一定の時間経過後に、再度直流モータを駆動させる動作のことを云う。
【００２０】
つぎに図３のフローチャートを参照してこの発明による運転制御装置によるモータ起動制御について説明する。
【００２１】
運転制御装置９は、まず、各直流モータ１、２、３の動作開始要求の有無を判別する（ステップＳ１０１）。つぎに、動作開始要求有りの直流モータが複数個で有るか否かを判別する（ステップＳ１０２）。動作開始要求有りの直流モータが一つならば（ステップＳ１０２否定）、その直流モータを直ぐに動作させる（ステップＳ１０３）。
【００２２】
これに対して、動作開始要求有りの直流モータが複数個であれば（ステップＳ１０２肯定）、起動の順位付けを行い（ステップＳ１０４）、未起動のもので、順位が最上位の直流モータを検索し、該当する直流モータの動作を開始する（ステップＳ１０５）。
【００２３】
たとえば、図２に示されているように順位付けが行われ、庫内冷気循環ファン用直流モータ１、圧縮機冷却ファン用直流モータ２、自動製氷機用直流モータ３の何れもが未起動であれば、優先順位が１位の庫内冷気循環ファン用直流モータ１が起動される。
【００２４】
つぎに、起動された直流モータ、たとえば庫内冷気循環ファン用直流モータ１の動作開始時点からの経過時間を運転制御装置９内のソウトウェアタイマで計時し、所定時間Ｔ秒が経過したかを監視する（ステップＳ１０６）。所定時間Ｔ秒が経過するまで（ステップＳ１０６否定）、他の直流モータの起動を禁止する。
【００２５】
なお、所定時間Ｔ秒は、１つの直流モータが起動した後、起動電流が定常時の１２０％程度になった時点で、つぎの直流モータを起動させるような時間に設定すればよい。所定時間Ｔ秒が経過すれば（ステップＳ１０６肯定）、順位付けを繰り上げ（ステップＳ１０７）、つぎに優先順位が最上位のもの、例えば、圧縮機冷却ファン用直流モータ２の起動を許可する。
【００２６】
直流モータの電流は、図４に示されているように、動作開始時に起動電流という形で定常時よりも多く流れ、時間の経過に伴い定常の電流値に近づいていく。このため、複数の直流モータが同時に起動すると、それらの起動電流の総和を定格電流内とする電源部の設計が必要となる。例えば、起動電流が０．８Ａの直流モータが３個同時に起動すると、その起動時には２．４Ａの電流が流れることになる。定格電流が２．４Ａの電源部が必要になる。
【００２７】
このことに対して、この発明による運転制御装置では、直流モータの起動に時間差を与え、例えば、図４に示されているように、定常動作電流に近づく０．５秒（所定時間Ｔ秒）経過した後に、直流モータの順位付けを進めると、３個目の直流モータが起動する際の最大電流は、直流モータ２個分の定常電流値と１個の起動電流の和に抑えられる。具体的には、起動電流が０．８Ａ、定常電流が０．２Ａならば０．８＋０．２×２＝１．２Ａが流れることになる。
【００２８】
このことにより、その他の負荷を考慮せずに直流モータ３個に限定して考えれば、従来では、２．４Ａの電流容量を持った電源部が必要であったのが、この発明による運転制御装置では１．２Ａの電流容量を持った電源部ですむようになる。上述のように電源容量を低減することにより、軽量で安価な電源部でよくなり、また電源定格を低減できるので、発熱を抑えることができ、信頼性の高い装置を得ることができる。
【００２９】
つぎに、図５のフローチャートを参照して、この発明による運転制御装置によるモータロック時のリカバリ制御について説明する。
【００３０】
運転制御装置９は、まず、モータロックにより停止している直流モータのリカバリ要求が有るか否かを判別する（ステップＳ２０１）。リカバリ要求があれば（ステップＳ２０１肯定）、現在動作している直流モータが有るか否かを判別する（ステップＳ２０２）。
【００３１】
現在動作している直流モータが有る場合には（ステップＳ２０２肯定）、動作している直流モータの残り動作時間が１分以内で有るか否かを判別し（ステップＳ２０３）、残り動作時間が１分以内であれば（ステップＳ２０３肯定）、その直流モータの動作を継続する。
【００３２】
これに対し、１分を超える動作残時間あるいは動作時間不定の場合には（ステップＳ２０３否定）、全ての直流モータの動作を禁止、停止し（ステップＳ２０４）、リカバリ動作要求のある直流モータを図２に示されているような順位付けに従って１個のみ動作させ、リカバリ動作用の計時タイマーをリセットする（ステップＳ２０５）。なお、現在動作している直流モータがない場合には（ステップＳ２０２否定）、直ちにステップＳ２０４による直流モータ動作の禁止が行われる。
【００３３】
つぎに、リカバリ動作させた直流モータのロックを判定し（ステップＳ２０６）、再度ロックしている場合には（ステップＳ２０６肯定）、ロックで有ることを認識するためにフラグＦ＝“１”とする（ステップＳ２０７）。
【００３４】
上述のように、リカバリ動作の起動時においてロック電流を考慮して他の直流モータを停止させるため、停止させた直流モータの定常電流分だけ、ロック時の電源電流を低減することができる。リカバリ時には、一回何らかの影響でロックをして停止した後であり、再びロックする可能性は強く、ロック電流が流れる可能性が高いから、上述のようなリカバリ動作の起動時における電源電流の低減は有意義である。
【００３５】
【発明の効果】
以上の説明から理解される如く、この発明による冷蔵庫の運転制御方法によれば、直流モータのロック停止によるリカバリ動作の際に、他に動作中の直流モータがあれば、その直流モータの動作を停止してからロック停止している直流モータのリカバリ動作を行う制御を行うことから、ロック時の電流値の総和が抑えられ、電源容量が低減することにより、軽量で安価な電源部でよくなり、また電源定格を低減できるので、発熱を抑えることができ、信頼性を高めることができる。
【００３６】
つぎの発明による冷蔵庫の運転制御方法によれば、リカバリ動作の際、複数の直流モータが同時に動作開始を行う要求がなされたとき、直流モータの起動に順位付けを行い、直流モータの動作開始に時間差を設け、同時に動作開始要求を受けた複数個の直流モータ１個ずつ順次時間差を付けて起動させる制御を行うことから、直流モータの起動時の電流値の総和が抑えられ、電源容量が低減することにより、軽量で安価な電源部でよくなり、また電源定格を低減できるので、発熱を抑えることができ、信頼性を高めることができる。
【００３７】
つぎの発明による冷蔵庫の運転制御装置によれば、直流モータのロック停止によるリカバリ動作の際に、他に動作中の直流モータがあれば、その直流モータの動作を停止してからロック停止している直流モータのリカバリ動作を行う制御を行うことから、ロック時の電流値の総和が抑えられ、電源容量が低減することにより、軽量で安価な電源部でよくなり、また電源定格を低減できるので、発熱を抑えることができ、信頼性の高い装置を得ることができる。
【００３８】
つぎの発明による冷蔵庫の運転制御装置によれば、リカバリ動作の際、複数の直流モータが同時に動作開始を行う要求がなされたとき、直流モータの起動に順位付けを行い、直流モータの動作開始に時間差を設け、同時に動作開始要求を受けた複数個の直流モータ１個ずつ順次時間差を付けて起動させる制御を行うことから、直流モータの起動時の電流値の総和が抑えられ、電源容量が低減することにより、軽量で安価な電源部でよくなり、また電源定格を低減できるので、発熱を抑えることができ、信頼性の高い装置を得ることができる。
【図面の簡単な説明】
【図１】  この発明による冷蔵庫の運転制御装置の一つの実施の形態を示すブロック線図である。
【図２】  この発明による冷蔵庫の運転制御装置における直流モータの起動時の順位付けを示す説明図である。
【図３】  この発明による運転制御装置によるモータ起動制御を示すフローチャートである。
【図４】  直流モータの起動電流特性を示すグラフである。
【図５】  この発明による運転制御装置によるモータロック時のリカバリ制御を示すフローチャートである。
【符号の説明】
１  庫内冷気循環ファン用直流モータ、２  圧縮機冷却ファン用直流モータ、３  自動製氷機用直流モータ、４  電源部、５，６，７  駆動部、８  ロック検出部、９  運転制御装置。
【図１】
0003720180.tif 000002
【図２】
0003720180.tif 000003
【図３】
0003720180.tif 000004
【図４】
0003720180.tif 000005
【図５】
0003720180.tif 000006